(57)【要約】  本発明は信号伝送方法、ネットワーク機器、端末装置及び通信システムを提供する。該信号伝送方法は、ネットワーク機器が第１ビームを使用して第１セルの第１同期信号を送信することであって、第１同期信号に第１ビームの識別情報が載せられること、ネットワーク機器が第１ビームを使用して、第１ビームの識別情報でスクランブリングされた第１放送メッセージを送信すること、端末装置がネットワーク機器の送信した第１同期信号を受信し、第１同期信号に載せられた第１ビームの識別情報を取得すること、及び端末装置が第１ビームの識別情報によって第１放送メッセージを検出することを含む。本発明の信号伝送方法、ネットワーク機器、端末装置及び通信システムは信号の伝送品質を向上させることができる。
2019533362.tif 000002
【特許請求の範囲】
【請求項１】
信号伝送方法であって、
ネットワーク機器が第１ビームを使用して第１セルの第１同期信号を送信することであって、前記第１同期信号に前記第１ビームの識別情報が載せられること、及び
前記ネットワーク機器が前記第１ビームを使用して、前記第１ビームの識別情報でスクランブリングされた第１放送メッセージを送信すること、を含むことを特徴とする
前記信号伝送方法。
【請求項２】
前記第１放送メッセージに以下の少なくとも１種の情報が載せられる：前記第１同期信号の占用した無線リソースと前記第１放送メッセージの占用した無線リソースとの間の関係情報、前記第１セル内の少なくとも１つの第２ビームの識別情報、前記第１セル内で前記少なくとも１つの第２ビームを使用して伝送された第２同期信号の占用した無線リソースの情報、前記第１セル内のビーム数、又は前記第１セル内で前記少なくとも１つの第２ビームを使用して伝送された第２放送メッセージの占用した無線リソースの情報ことを特徴とする
請求項１に記載の信号伝送方法。
【請求項３】
前記第１放送メッセージに前記第１セルの識別情報が載せられることを特徴とする
請求項１又は２に記載の信号伝送方法。
【請求項４】
信号伝送方法であって、
端末装置は第１セル内の第１同期信号を検出することであって、前記第１同期信号に前記第１同期信号を伝送する第１ビームの識別情報が載せられること、及び
前記端末装置は前記第１ビームの識別情報によって、前記第１ビームで伝送された第１放送メッセージを検出すること、を含むことを特徴とする
前記信号伝送方法。
【請求項５】
前記第１放送メッセージに以下の少なくとも１種の情報が載せられる：前記第１同期信号の占用した無線リソースと前記第１放送メッセージの占用した無線リソースとの間の第１関係情報、前記第１セル内の少なくとも１つの第２ビームの識別情報、前記第１セル内で前記少なくとも１つの第２ビームを使用して伝送された第２同期信号の占用した無線リソースの情報、前記第１セル内のビーム数、又は前記第１セル内で前記少なくとも１つの第２ビームを使用して伝送された第２放送メッセージの占用した無線リソースの情報ことを特徴とする
請求項４に記載の信号伝送方法。
【請求項６】
前記信号伝送方法は更に、
前記端末装置が前記少なくとも１種の情報によって前記少なくとも１つの第２ビームの識別情報を確定することを含むことを特徴とする
請求項５に記載の信号伝送方法。
【請求項７】
前記第１放送メッセージに前記第１セルの識別情報が載せられることを特徴とする
請求項４〜６のいずれかに記載の信号伝送方法。
【請求項８】
前記端末装置が前記第１ビームの識別情報によって、第１放送メッセージを検出することは、
前記端末装置が前記第１同期信号の占用した無線リソースと第１関係情報との集合によって、Ｍ個の検出対象である無線リソースを確定することであって、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の検出対象である無線リソースにおける第ｉ個の検出対象である無線リソースと前記第１同期信号の占用した無線リソースとの間の関係が前記第１関係情報集合における第ｉ個の関係情報で指示された関係であり、Ｍが正整数であり、ｉがＭ以下の正整数であり、前記Ｍ個のセルが前記第１セルを含むこと、
前記端末装置が前記第１ビームの識別情報を使用して、前記Ｍ個の検出対象である無線リソースでのＮ個の放送メッセージをデスクランブルすることであって、ＮがＭ以下の正整数であること、及び
前記端末装置は前記デスクランブルが成功したＫ個の放送メッセージにおいて前記第１放送メッセージを検出することであって、ＫがＮ以下の正整数であることを含むことを特徴とする
請求項４〜７のいずれかに記載の信号伝送方法。
【請求項９】
Ｋ＝１とし、
前記端末装置が前記デスクランブルが成功したＫ個の放送メッセージにおいて前記第１放送メッセージを検出することは、
前記端末装置は前記デスクランブルが成功した放送メッセージが前記第１放送メッセージであることを確定することを含むことを特徴とする
請求項８に記載の信号伝送方法。
【請求項１０】
Ｋ＞１とし、
前記Ｋ個の放送メッセージにおける第ｊ個の放送メッセージに、前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、
前記端末装置が前記デスクランブルが成功したＫ個の放送メッセージにおいて前記第１放送メッセージを検出することは、
前記端末装置が前記Ｋ個の放送メッセージにおける第３放送メッセージを前記第１放送メッセージと確定することであって、前記第３放送メッセージの占用した無線リソースと前記第１同期信号の占用した無線リソースとの間の関係が前記第３放送メッセージに載せられた前記関係情報に等しいことを含むことを特徴とする
請求項８に記載の信号伝送方法。
【請求項１１】
前記第１関係情報集合は予め構成された関係情報集合であることを特徴とする
請求項８〜１０のいずれかに記載の信号伝送方法。
【請求項１２】
ネットワーク機器であって、
第１ビームを使用して第１セルの第１同期信号を送信するための第１送信モジュールであって、前記第１同期信号に前記第１ビームの識別情報が載せられる、第１送信モジュールと、
前記第１ビームを使用して前記第１ビームの識別情報でスクランブリングされた第１放送メッセージを送信するための第２送信モジュールと、を含むことを特徴とする
前記ネットワーク機器。
【請求項１３】
前記第１放送メッセージに以下の少なくとも１種の情報が載せられる：前記第１同期信号の占用した第１無線リソースと前記第１放送メッセージの占用した第２無線リソースとの間の関係情報、前記第１セル内の少なくとも１つの第２ビームの識別情報、前記第１セル内で前記少なくとも１つの第２ビームを使用して伝送された第２同期信号の占用した第３無線リソースの情報、前記第１セル内のビーム数、又は前記第１セル内で前記少なくとも１つの第２ビームを使用して伝送された第２放送メッセージの占用した第４無線リソースの情報ことを特徴とする
請求項１２に記載のネットワーク機器。
【請求項１４】
前記第１放送メッセージに前記第１セルの識別情報が載せられることを特徴とする
請求項１２又は１３に記載のネットワーク機器。
【請求項１５】
端末装置であって、
第１セル内の第１同期信号を検出するための第１検出モジュールであって、前記第１同期信号に前記第１同期信号を伝送する第１ビームの識別情報が載せられる、第１検出モジュールと、
前記第１ビームの識別情報によって、前記第１ビームで伝送された第１放送メッセージを検出するための第２検出モジュールと、を含むことを特徴とする
前記端末装置。
【請求項１６】
前記第１放送メッセージに以下の少なくとも１種の情報が載せられる：前記第１同期信号の占用した第１無線リソースと前記第１放送メッセージの占用した第２無線リソースとの間の第１関係情報、前記第１セル内の少なくとも１つの第２ビームの識別情報、前記第１セル内で前記少なくとも１つの第２ビームを使用して伝送された第２同期信号の占用した第３無線リソースの情報、前記第１セル内のビーム数、又は前記第１セル内で前記少なくとも１つの第２ビームを使用して伝送された第２放送メッセージの占用した第４無線リソースの情報ことを特徴とする請求項１５に記載の端末装置。
【請求項１７】
前記端末装置は、前記少なくとも１種の情報によって前記少なくとも１つの第２ビームの識別情報を確定するための処理モジュールを更に含むことを特徴とする
請求項１６に記載の端末装置。
【請求項１８】
前記第１放送メッセージに前記第１セルの識別情報が載せられることを特徴とする
請求項１５〜１７のいずれかに記載の端末装置。
【請求項１９】
前記第２検出モジュールは、具体的に、
前記第１無線リソースと第１関係情報との集合によって、Ｍ個の第２無線リソースを確定することに用いられ、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の第２無線リソースにおける第ｉ個の第２無線リソースと前記第１無線リソースとの間の関係は前記第１関係情報集合における第ｉ個の関係情報で指示された関係であり、Ｍが正整数であり、ｉがＭ以下の正整数であり、前記Ｍ個のセルが前記第１セルを含み、
前記第１ビームの識別情報を使用して、前記Ｍ個の第２無線リソースでのＮ個の放送メッセージをデスクランブルし、ＮがＭ以下の正整数であり、
前記デスクランブルが成功したＫ個の放送メッセージにおいて前記第１放送メッセージを検出し、ＫがＮ以下の正整数であることを特徴とする
請求項１５〜１８のいずれかに記載の端末装置。
【請求項２０】
Ｋ＝１とし、
前記第２検出モジュールは具体的には前記デスクランブルが成功した放送メッセージが前記第１放送メッセージであることを確定することに用いられることを特徴とする
請求項１９に記載の端末装置。
【請求項２１】
Ｋ＞１とし、
前記Ｋ個の放送メッセージにおける第ｊ個の放送メッセージに前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、
前記第２検出モジュールは具体的に、前記Ｋ個の放送メッセージにおける第３放送メッセージを前記第１放送メッセージと確定することに用いられ、前記第３放送メッセージの占用した無線リソースと前記第１無線リソースとの間の関係が前記第３放送メッセージに載せられた前記関係情報に等しいことを特徴とする
請求項２０に記載の端末装置。
【請求項２２】
前記第１関係情報集合は予め構成された関係情報集合であることを特徴とする
請求項１９〜２１のいずれかに記載の端末装置。
【請求項２３】
通信システムであって、
請求項１２〜１４のいずれかに記載のネットワーク機器及び／又は請求項１５〜２２のいずれかに記載の端末装置を含むことを特徴とする
前記通信システム。
【発明の詳細な説明】
【技術分野】
【０００１】
本発明は無線通信分野に関し、特に信号伝送方法、ネットワーク機器及び端末装置に関する。
【背景技術】
【０００２】
マルチアンテナ（Ｍｕｌｔｉｐｌｅ−Ｉｎｐｕｔ  Ｍｕｌｔｉｐｌｅ−Ｏｕｔｐｕｔ：ＭＩＭＯ）技術は長期的な進化（Ｌｏｎｇ  Ｔｅｒｍ  Ｅｖｏｌｕｔｉｏｎ：ＬＴＥ）システムの１つの核心技術であり、システムの伝送速率を大幅に向上させることができる。ビームフォーミングはアンテナアレイの信号前処理技術に基づいて、各アンテナアレイ素子での送信信号の重みを調整することによって、指向性を有するビームが発生する。
【０００３】
従来技術において、セル公共信号（例えば同期信号、放送メッセージ）の伝送は最大で1つのビームのみを用いて伝送し、十分なビームフォーミングゲインを得ることができず、信号伝送の品質に影響する。
【発明の概要】
【課題を解決するための手段】
【０００４】
本発明は信号伝送方法、ネットワーク機器、端末装置及び通信システムを提供し、信号の伝送品質を向上させることができる。
【０００５】
第１様態において、本発明は信号伝送方法を提供し、ネットワーク機器が第１ビームを使用して第１セルの第１同期信号を送信することであって、前記第１同期信号に前記第１ビームの識別情報が載せられること、及び前記ネットワーク機器が前記第１ビームを使用して前記第１ビームの識別情報でスクランブリングされた第１放送メッセージを送信することを含む。
【０００６】
該信号伝送方法において、ネットワーク機器は同期信号によってセル内のビームの識別情報を送信し、且つ該ビームの識別情報を使用して該同期信号の対応する放送メッセージをスクランブリングする。端末装置はネットワーク機器が送信した同期信号によってビームの識別情報を取得して且つビームの識別情報によって対応する放送メッセージを検出することができるので、該信号伝送方法によってセルにおいて複数のビーム伝送公共信号を通過することができ、これによりビームフォーミングゲインを取得し、最終に信号の伝送品質を向上させる。
【０００７】
一つの可能な実現方式において、前記第１放送メッセージに以下の少なくとも１種の情報が載せられる：前記第１同期信号の占用した無線リソースと前記第１放送メッセージの占用した無線リソースとの間の関係情報、前記第１セル内の少なくとも１つの第２ビームの識別情報、前記第１セル内で前記少なくとも１つの第２ビームを使用して伝送された第２同期信号の占用した無線リソースの情報、前記第１セル内のビーム数、又は前記第１セル内で前記少なくとも１つの第２ビームを使用して伝送された第２放送メッセージの占用した無線リソースの情報。
【０００８】
該信号伝送方法において、ネットワーク機器は送信された第１放送メッセージに第２ビームの関連情報、例えば第２ビームの識別情報、第２ビームの対応する同期信号のリソース情報、第２ビームの対応する放送メッセージのリソース情報等が載せられることができ、これにより端末装置は第１同期信号を検出した後第１放送メッセージを更に検出することができ、更に第１放送メッセージによって第２ビーム、第２同期信号又は第２放送メッセージ等を検出する。このように、端末装置は１つのビームを検出すれば、他のビームの情報を順次取得することができ、最終に端末装置のセル内のビームに対する検出速度を増速することができる。
【０００９】
一つの可能な実現方式において、前記第１放送メッセージに前記第１セルの識別情報が載せられる。
【００１０】
該信号伝送方法において、放送メッセージに対応するセルの識別情報が載せられ、これによって端末装置は放送メッセージからセル識別情報を取得することができ、これにより端末装置のセル識別情報を検出する速度を増速する。
【００１１】
第２様態において、本発明は信号伝送方法を提供し、端末装置は第１セル内の第１同期信号を検出し、前記第１同期信号に前記第１同期信号を伝送する第１ビームの識別情報が載せられ、前記端末装置は前記第１ビームの識別情報によって、前記第１ビームで伝送された第１放送メッセージを検出する。
【００１２】
該信号伝送方法において、端末装置のネットワーク機器から受信された同期信号にセル内のビームの識別情報が載せられる。このように、端末装置はネットワーク機器が送信した同期信号によってビームの識別情報を取得した後、ビームの識別情報によって対応する放送メッセージを検出することができ、このため、該信号伝送方法によってセルにおいて複数のビーム伝送公共信号を通過することができ、これによりビームフォーミングゲインを取得し、最終に信号の伝送品質を向上させる。
【００１３】
一つの可能な実現方式において、前記第１放送メッセージに以下の少なくとも１種の情報が載せられる：前記第１同期信号の占用した無線リソースと前記第１放送メッセージの占用した無線リソースとの間の第１関係情報、前記第１セル内の少なくとも１つの第２ビームの識別情報、前記第１セル内で前記少なくとも１つの第２ビームを使用して伝送された第２同期信号の占用した無線リソースの情報、前記第１セル内のビーム数、又は前記第１セル内で前記少なくとも１つの第２ビームを使用して伝送された第２放送メッセージの占用した無線リソースの情報。
【００１４】
該信号伝送方法において、端末装置のネットワーク機器から受信された第１放送メッセージに第２ビームの関連情報、例えば第２ビームの識別情報、第２ビームの対応する同期信号のリソース情報、第２ビームの対応する放送メッセージのリソース情報等が載せられ、これにより第１同期信号を検出した後第１放送メッセージを更に検出することができ、更に第１放送メッセージによって第２ビーム、第２同期信号又は第２放送メッセージ等を検出することができる。このように、端末装置は１つのビームを検出すれば、他のビームの情報を順次取得することができ、最終に端末装置のセル内のビームに対する検出速度を増速することができる。
【００１５】
一つの可能な実現方式において、前記信号伝送方法は、前記端末装置が前記少なくとも１種の情報によって前記少なくとも１つの第２ビームの識別情報を確定することを更に含む。
【００１６】
該信号伝送方法において、端末装置は１つのビームの対応する放送メッセージを検出すれば、他のビームの情報を順次取得することができ、最終に端末装置のセル内のビームに対する検出速度を増速することができる。
【００１７】
一つの可能な実現方式において、前記第１放送メッセージに前記第１セルの識別情報が載せられる。
【００１８】
該信号伝送方法において、放送メッセージに対応するセルの識別情報が載せられ、これによって端末装置は放送メッセージからセル識別情報を取得することができ、これにより端末装置のセル識別情報を検出する速度を増速する。
【００１９】
一つの可能な実現方式において、前記端末装置は前記第１ビームの識別情報によって、第１放送メッセージを検出することであって、前記端末装置が前記第１同期信号の占用した無線リソースと第１関係情報との集合によって、Ｍ個の検出対象である無線リソースを確定し、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の検出対象である無線リソースにおける第ｉ個の検出対象である無線リソースと前記第１同期信号の占用した無線リソースとの間の関係が前記第１関係情報集合における第ｉ個の関係情報で指示された関係であり、Ｍが正整数であり、ｉがＭ以下の正整数であり、前記Ｍ個のセルが前記第１セルを含むこと、前記端末装置が前記第１ビームの識別情報を使用して、前記Ｍ個の検出対象である無線リソースでのＮ個の放送メッセージをデスクランブルすることであって、ＮがＭ以下の正整数であること、及び前記端末装置は前記デスクランブルが成功したＫ個の放送メッセージにおいて前記第１放送メッセージを検出することであって、ＫがＮ以下の正整数であることを含む。
【００２０】
該信号伝送方法において、端末装置はネットワーク機器から受信した同期信号におけるビームの識別情報、同期信号に使用されたリソース情報、及び同期信号と該同期信号の対応する放送メッセージに使用されたリソースとの間の関係によって該同期信号の対応する放送メッセージを確定する。
【００２１】
選択可能に、該リソース情報は時間領域リソース情報又は周波数領域リソースを含んでよく、具体的には同期信号に使用された時間領域リソース及び／又は周波数領域リソースの位置であってよい。同期信号と該同期信号の対応する放送メッセージに使用されたリソースとの間の関係は、具体的には同期信号に使用された時間領域リソース及び／又は周波数領域リソースの位置と放送メッセージに使用された時間領域リソース及び／又は周波数領域リソースの位置との間のオフセット量であってよい。
【００２２】
一つの可能な実現方式において、Ｋ＝１とし、前記端末装置は前記デスクランブルが成功したＫ個の放送メッセージにおいて前記第１放送メッセージを検出することは、前記端末装置が前記デスクランブルが成功した放送メッセージが前記第１放送メッセージであることを確定することを含む。
【００２３】
一つの可能な実現方式において、Ｋ＞１とし、前記Ｋ個の放送メッセージにおける第ｊ個の放送メッセージに前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、前記端末装置が前記デスクランブルが成功したＫ個の放送メッセージにおいて前記第１放送メッセージを検出することは、前記端末装置が前記Ｋ個の放送メッセージにおける第３放送メッセージを前記第１放送メッセージと確定することであって、前記第３放送メッセージの占用した無線リソースと前記第１同期信号の占用した無線リソースとの間の関係が前記第３放送メッセージに載せられた前記関係情報に等しいことを含む。
【００２４】
該信号伝送方法によって同一のビームが複数の放送メッセージに対応する時、放送メッセージに載せられた同期信号と放送メッセージに使用されたリソースとの間の関係、及び端末装置が検出した同期信号と検出している放送メッセージに使用されたリソースとの間の関係によって該同期信号の対応する放送メッセージを確定する。
【００２５】
一つの可能な実現方式において、前記第１関係情報集合は予め構成された関係情報集合である。
【００２６】
第３様態において、本発明はネットワーク機器を提供し、前記ネットワーク機器は第１様態又は第１様態の中の任意の一つの可能な実現方式における信号伝送方法を実行するためのモジュールを含む。
【００２７】
第４様態において、本発明は端末装置を提供し、前記端末装置は第２様態又は第２様態の中の任意の一つの可能な実現方式における信号伝送方法を実行するためのモジュールを含む。
【００２８】
第５様態において、本発明は通信システムを提供し、第３様態におけるネットワーク機器及び／又は第４様態における端末装置を含む。
【００２９】
第６様態において、本発明はネットワーク機器を提供し、トランシーバ、プロセッサー及びメモリを含み、前記メモリはコードを記憶することに用いられ、前記プロセッサーは前記メモリにおけるコードを実行することに用いられ、前記トランシーバは他の機器と通信することに用いられる。前記コードが実行される時、前記プロセッサーは前記トランシーバを用いて第１様態又は第１様態の中の任意の一つの可能な実現方式における信号伝送方法を実現する。
【００３０】
第７様態において、本発明は端末装置を提供し、トランシーバ、プロセッサー及びメモリを含み、前記メモリはコードを記憶することに用いられ、前記プロセッサーは前記メモリにおけるコードを実行することに用いられ、前記トランシーバは他の機器と通信することに用いられる。前記コードが実行される時、前記プロセッサーは前記トランシーバを用いて第２様態又は第２様態の中の任意の一つの可能な実現方式における信号伝送方法を実現する。
【００３１】
第８様態において、本発明は通信システムを提供し、第６様態におけるネットワーク機器及び／又は第７様態における端末装置を含む。
【００３２】
第９様態において、本発明はコンピュータ可読媒体を提供し、前記コンピュータ可読媒体はネットワーク機器で実行されるためのプログラムコードを記憶し、前記プログラムコードは第１様態中又は第１様態の中の任意の一つの可能な実現方式における信号伝送方法を実行するための命令を含む。
【００３３】
第１０様態において、本発明はコンピュータ可読媒体を提供し、前記コンピュータ可読媒体は端末装置で実行されるためのプログラムコードを記憶し、前記プログラムコードは第２様態中又は第２様態の中の任意の一つの可能な実現方式における信号伝送方法を実行するための命令を含む。
【図面の簡単な説明】
【００３４】
【図１】図１は本発明の実施例の信号伝送方法を適用できるシステムの概略的なアーキテクチャ図である。
【図２】図２は本発明の実施例の信号伝送方法の概略的なフロー図である。
【図３】図３は本発明の実施例の信号伝送方法の概略的なフロー図である。
【図４】図４は本発明の実施例のネットワーク機器の概略的な構造図である。
【図５】図５は本発明の実施例のネットワーク機器の概略的な構造図である。
【図６】図６は本発明の実施例の端末装置の概略的な構造図である。
【図７】図７は本発明の実施例の端末装置の概略的な構造図である。
【発明を実施するための形態】
【００３５】
本発明の実施例の技術的解決手段をより明確的に説明するために、以上、本発明の実施例に使用する必要がある図面を簡単に説明し、明らかで、説明する図面はただ本発明のある実施例だけであり、当業者にとって、創造的な作業なしに更にこれらの図面に基づいてその他の図面を取得することができる。
【００３６】
本発明の実施例の技術的解決手段をより明確的に説明するために、以下、本発明の実施例に使用する必要がある図面を簡単に説明し、明らかで、以下で説明する図面はただ本発明のある実施例だけであり、当業者にとって、創造的な作業なしに更にこれらの図面に基づいてその他の図面を取得することができる。
【００３７】
本発明の実施例の目的、技術案及び利点をより明らかにさせるために、以下、本発明の実施例における図面を参照して、本発明の実施例における技術的解決手段を明らかで、完全に説明し、無論、説明された実施例は全部の実施例ではなく、本発明の一部の実施例だけである。本発明における実施例に基づいて、当業者は創造的な労働なしに得られたすべての他の実施例は、いずれも本発明が保護する範囲に属する。
【００３８】
理解しやすいために、まず本発明の実施例の信号伝送方法を実現することができる通信システムアーキテクチャの例示図を全体から記述する。理解すべきなのは、本発明の実施例は図１に示すようなシステムアーキテクチャに限定されず、なお、図１における装置はハードウェアであってもよいし、機能で分けられたソフトウェア或いは以上の２つのものの組み合わせであってもよい。
【００３９】
図１に示すような無線通信システムの幾つかの例示は長期的な進化（Ｌｏｎｇ  Ｔｅｒｍ  Ｅｖｏｌｕｔｉｏｎ、ＬＥＴと略称）システム、広帯域符号分割多元アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡと略称）システム又は未来の５Ｇシステムであってよい。
【００４０】
図１に示す無線通信システムにはネットワーク機器１１０と端末装置１２０を含んでよく、ネットワーク機器１１０と端末装置１２０とは互いに通信することができる。ネットワーク機器１１０は端末装置１２０を無線通信ネットワークにアクセスすることに用いられることができる。
【００４１】
本発明の実施例において、ネットワーク機器１１０の具体的な例示は基地局であり、例えばグローバルモバイル通信（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭと略称）システム又はコード分割多重アクセス（Ｃｏｄｅ  Ｄｉｖｉｓｉｏｎ  Ｍｕｌｔｉｐｌｅ  Ａｃｃｅｓｓ、ＣＤＭＡと略称）システムにおける基地局（Ｂａｓｅ  Ｔｒａｎｓｃｅｉｖｅｒ  Ｓｔａｔｉｏｎ、ＢＴＳと略称）、広帯域符号分割多元アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡと略称）システムにおける基地局（ＮｏｄｅＢ）、ＬＴＥシステムにおける進化型基地局（Ｅｖｏｌｕｔｉｏｎａｌ  Ｎｏｄｅ  Ｂ、ｅＮＢ又はｅＮｏｄｅＢと略称）、或いは未来５Ｇネットワークにおける基地局機器、小型基地局機器等であり、本発明はこれを限定しない。
【００４２】
本発明の実施例において、端末装置１２０は一般的な場合にはユーザ機器（Ｕｓｅｒ  Ｅｑｕｉｐｍｅｎｔ、ＵＥと略称）と呼ばれてよい。端末装置は無線アクセスネットワーク（Ｒａｄｉｏ  Ａｃｃｅｓｓ  Ｎｅｔｗｏｒｋ、ＲＡＮと略称）を介して１つ又は複数のコアネットワーク（Ｃｏｒｅ  Ｎｅｔｗｏｒｋ）と通信し、端末装置はアクセス端末、ユーザユニット、ユーザ局、移動局、移動台、遠隔局、遠隔端末、移動機器、ユーザ端末、端末、無線通信機器、ユーザエージェント又はユーザ装置と呼ばれてよい。端末装置は携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰと略称）電話、無線ローカルループ（Ｗｉｒｅｌｅｓｓ  Ｌｏｃａｌ  Ｌｏｏｐ、ＷＬＬと略称）局、パーソナルデジタルアシスタント（Ｐｅｒｓｏｎａｌ  Ｄｉｇｉｔａｌ  Ａｓｓｉｓｔａｎｔ、ＰＤＡと略称）、無線通信機能を有するハンドヘルド機器、計算機器又は無線モデムに接続された他の処理機器、車載機器、ウェアラブル機器及び未来の５Ｇネットワークにおける端末装置等であって良い。
【００４３】
ネットワーク機器１１０は１つ又は複数のフォーミングビームによって端末装置１２０へダウンリンク信号を伝送し、端末装置１２０は無指向性フォーミングビーム又は指向性フォーミングビームによってネットワーク機器１１０が送信したダウンリンク信号を受信することができる。
【００４４】
ネットワーク機器１１０は複数のフォーミングビームによって端末装置１２０へダウンリンク信号を伝送し、これによってネットワーク機器１１０と端末装置１２０は信号伝送を行う時、より大きいゲインを得ることができ、信号伝送のゲインを向上させ、ネットワーク機器１１０は複数のフォーミングビームによって端末装置１２０へダウンリンク信号を伝送する時、異なるフォーミングビームに１つの識別情報を定義する必要があり、これによってネットワーク機器１１０と端末装置１２０は異なるフォーミングビームを区別することができる。
【００４５】
この問題に対して、本発明は信号伝送方法を提供し、フォーミングビームの識別情報を伝送することができ、これにより端末装置とネットワーク機器は異なるフォーミングビームを区別することができ、更にネットワーク機器と端末装置との間のマルチフォーミングビームの伝送を実現することができ、これにより信号の伝送品質を向上させる。
【００４６】
図２は本発明の実施例の信号伝送方法の概略的なフロー図である。理解すべきなのは、図２には信号伝送方法のステップ又は操作を示したが、これらのステップ又は操作は単に例示であり、本発明の実施例は更に他の操作或いは図２における各操作の変形を実行することができる。なお、図２における各ステップは図２に示した異なる順序に従って実行することができ、且つ図２における全部操作を実行する必要がない可能性がある。図２におけるネットワーク機器は図１におけるネットワーク機器１１０に対応する。
【００４７】
Ｓ２１０：ネットワーク機器が第１ビームを使用して第１セルの第１同期信号を送信し、第１同期信号に第１ビームの識別情報が載せられる。
【００４８】
具体的には、ネットワーク機器は一定の時間リソース及び／又は周波数リソースで同期信号を送信することができる。ネットワーク機器が送信した同期信号は幾つかの予め設定されたシーケンスから選択することができ、これらの予め設定されたシーケンスは例えば一定の長さのＺ−Ｃシーケンスであり、異なるシーケンスは異なるフォーミングビーム識別（Ｉｄｅｎｔｉｔｙ、ＩＤ）に対応し、例えば、同期信号は８組のシーケンスを含むシーケンス集合から選択することができ、シーケンス１が一個のフォーミングビームの識別情報に対応し、シーケンス２が第２個のフォーミングビームの識別情報に対応し、このように類推すれば、８組のシーケンスは８個のフォーミングビームの識別情報に対応することができる。
【００４９】
Ｓ２２０：ネットワーク機器が第１ビームを使用して第１ビームの識別情報でスクランブリングされた第１放送メッセージを送信する。
【００５０】
具体的には、ネットワーク機器が第１ビームの識別情報を使用して第１放送メッセージをスクランブリングし、そして第１ビームによって第１放送メッセージを伝送する。
【００５１】
対応的に、端末装置で実行された信号伝送方法の概略的なフロー図を図３に示す。理解すべきなのは、図３に該信号伝送方法のステップ又は操作を示したが、これらのステップ又は操作は単に例示であり、本発明の実施例は更に他の操作或いは図３における各操作の変形を実行することができる。なお、図３における各ステップは図３に示した異なる順序に従って実行することができ、且つ図３における全部操作を実行する必要がない可能性がある。図３における端末装置は図１における端末装置１２０に対応することができる。
【００５２】
Ｓ３１０：端末装置は第１セル内の第１同期信号を検出し、第１同期信号に第１同期信号を伝送する第１ビームの識別情報が載せられる。
【００５３】
Ｓ３２０：端末装置は第１ビームの識別情報によって、第１ビームで伝送された第１放送メッセージを検出する。
【００５４】
本発明の実施例において、ネットワーク機器は同期信号によってセル内のビームの識別情報を送信し、且つ該ビームの識別情報を使用して該同期信号の対応する放送メッセージをスクランブリングし、そして端末装置はネットワーク機器が送信した同期信号によってビームの識別情報を取得して及びビームの識別情報によって対応する放送メッセージを検出することができる。このため該信号伝送方法によってセルにおいて複数のビーム伝送公共信号を通過することができ、これによりビームフォーミングゲインを取得し、最終に信号の伝送品質を向上させる。
【００５５】
上記信号伝送方法において、選択可能に、第１放送メッセージに第１セルの識別情報が載せられることができる。
【００５６】
放送メッセージに対応するセルの識別情報が載せられる場合、これによって端末装置は放送メッセージからセル識別情報を取得することができ、これにより端末装置のセル識別情報を検出する速度を増速する。
【００５７】
上記信号伝送方法において、選択可能に、第１放送メッセージに以下情報における１種又は任意数種又は全部が載せられることができる：第１同期信号の占用した第１無線リソースと第１放送メッセージの占用した第２無線リソースとの間の関係情報、第１セル内の少なくとも１つの第２ビームの識別情報、第１セル内に少なくとも１つの第２ビームを使用して伝送された第２同期信号の占用した第３無線リソースの情報、第１セル内のビーム数、又は第１セル内に少なくとも１つの第２ビームを使用して伝送された第２放送メッセージの占用した第４無線リソースの情報。
【００５８】
ネットワーク機器が端末装置へ伝送された第１放送メッセージに上記少なくとも１種の情報が載せられる時、端末装置は該少なくとも１種の情報によって少なくとも１つの第２ビームの識別情報を確定することができる。
【００５９】
ネットワーク機器が第１放送メッセージで端末装置へ第１セル内の他の１つ又は複数のビームの識別情報を伝送する場合、端末装置は第１放送メッセージを検出した後他のビームの識別情報を取得することができ、ネットワーク機器が第１放送メッセージで端末装置へ第１セル内の他の１つ又は複数のビームの対応する同期信号の占用したリソースの情報を伝送する場合、端末装置は第１放送メッセージを検出した後、第１放送メッセージに載せられた他の同期信号のリソースの情報によってこれらの同期信号を検出して、更にこれらの同期信号に載せられた他のビームの識別情報を取得することができ、ネットワーク機器が第１放送メッセージで端末装置へ第１セル内の１つ又は複数の他のビームの対応する放送メッセージに使用されたリソースの情報を伝送する場合、端末装置は第１放送メッセージを検出した後、これらの放送メッセージのリソースの情報によってこれらの放送メッセージを検出することができ、更に対応するビームの識別情報を取得する。
【００６０】
まとめに、ネットワーク機器は送信された第１放送メッセージに第２ビームの関連情報が載せられることができ、これにより端末装置が第１同期信号を検出した後第１放送メッセージを更に検出することができ、更に第１放送メッセージによって第２ビーム、第２同期信号又は第２放送メッセージ等を検出する。このように、端末装置は１つのビームを検出すれば、他のビームの情報を順次取得することができ、最終に端末装置のセル内のビームに対する検出速度を増速することができる。
【００６１】
選択可能に、上記に記載の無線リソースの情報は時間領域リソース情報又は周波数領域リソースを含んでよく、具体的には同期信号又は放送メッセージに使用された時間領域リソース及び／又は周波数領域リソースの位置であってよい。同期信号と該同期信号の対応する放送メッセージに使用されたリソースとの間の関係情報は、具体的には同期信号に使用された時間領域リソース及び／又は周波数領域リソースの位置と、放送メッセージに使用された時間領域リソース及び／又は周波数領域リソースの位置とのオフセット量情報であってよい。
【００６２】
また、第１放送メッセージに第１セル内のすべてのフォーミングビームの総数が載せられた場合、端末装置は該情報によってセル内のすべてのフォーミングビームを検出したかどうかを確定することができ、これによりセル内のビームを検出する速度を更に向上させる。
【００６３】
上記端末装置が実行した信号伝送方法から分かるように、端末装置はネットワーク機器が送信した第１同期信号を受信した後、端末装置は第１同期信号に載せられた第１ビームの識別情報によって第１放送メッセージを検出する。端末装置は第１同期信号に載せられた第１ビームの識別情報によって第１放送メッセージを検出する一具体的な実現方式は以下の通りである。
【００６４】
端末装置は第１同期信号の占用した無線リソースと第１関係情報との集合によって、Ｍ個の検出対象である無線リソースを確定することができ、次に、端末装置が第１ビームの識別情報を使用して、Ｍ個の検出対象である無線リソースでのＮ個の放送メッセージをデスクランブルし、そして、端末装置はデスクランブルが成功したＫ個の放送メッセージに第１放送メッセージを検出する。
【００６５】
第１関係情報集合がＭ個の関係情報を含み、第１関係情報集合における第ｉ個の関係情報はＭ個のセルにおける第ｉ個のセル内において第１ビームによって伝送された同期信号と放送メッセージの占用した無線リソースとの間の関係を指示することに用いられ、Ｍ個の検出対象である無線リソースにおける第ｉ個の検出対象である無線リソースと第１同期信号の占用した無線リソースとの間の関係は第１関係情報集合における第ｉ個の関係情報で指示された関係である。Ｍ個のセルにおいて第１セルを含み、Ｍが正整数であり、ｉがＭ以下の正整数であり、  ＮがＭ以下の正整数であり、ＫがＮ以下の正整数である。
【００６６】
該信号伝送方法において、端末装置はネットワーク機器から受信した同期信号におけるビームの識別と同期信号に使用されたリソース情報、及び同期信号と該同期信号の対応する放送メッセージに使用されたリソースとの間の関係によって該同期信号の対応する放送メッセージを確定することができる。
【００６７】
Ｋ＝１とするとき、即ち端末装置が第１ビームの識別情報を使用して、Ｍ個の検出対象である無線リソースでのＮ個の放送メッセージをデスクランブルした後、デスクランブルが成功した放送メッセージ数が１個である時、端末装置は該デスクランブルが成功した放送メッセージを第１放送メッセージと確定することができる。
【００６８】
選択可能に、端末装置が第１ビームの識別情報を使用して、Ｍ個の検出対象である無線リソースでのＮ個の放送メッセージをデスクランブルした後、デスクランブルが成功した放送メッセージ数が複数であってよく、即ちＫ＞１であり、複数のセルがすべて該第１ビームで放送メッセージを伝送する時、端末装置は第１ビームの識別でデスクランブル成功した放送メッセージが複数ある可能性があり、この時、更にデスクランブルが成功したＫ個の放送メッセージにそれぞれ載せられる放送メッセージと放送メッセージの所在するセルにおいて第１ビームによって送信された同期信号の占用した無線リソースとの間の関係情報によって、このＫ個の放送メッセージにおいてどちらが第１同期信号に対応する放送メッセージであるかを確定する必要がある。
【００６９】
具体的には、端末装置のデスクランブルが成功したＫ個の放送メッセージにおいて、第ｊ個の放送メッセージに第ｊ個の放送メッセージと第ｊ個の放送メッセージの所在するセルにおいて第１ビームで送信された同期信号の占用した無線リソースとの間の関係情報が載せられることができ、ｊがＫ以下の正整数である。そして、このＫ個の放送メッセージにおいて、どちらの放送メッセージに載せられた自身の占用した無線リソースと自身実際な対応する同期信号の占用した無線リソースとの間の関係情報が、該放送メッセージの実際な占用した無線リソースと第１同期信号の占用した無線リソースとの間の関係と同じである場合、端末装置は該放送メッセージを第１放送メッセージとする。これに対応して、ネットワーク機器が端末装置へ伝送された放送メッセージに該放送メッセージと該放送メッセージの所在するセルにおいて同じビームで送信された同期信号の占用した無線リソースとの間の関係情報が載せられることができる。
【００７０】
つまり、本発明の実施例において、ネットワーク機器が端末装置へ伝送された放送メッセージに該放送メッセージと該放送メッセージの所在するセルにおいて同じビームで送信された同期信号の占用した無線リソースとの間の関係情報が載せられることができる時、これによって同一のビームが複数の放送メッセージに対応する時、放送メッセージに載せられた同期信号と放送メッセージに使用されたリソースとの間の関係、及び端末装置が検出した同期信号と検出している放送メッセージに使用されたリソースとの間の関係によって該同期信号の対応する放送メッセージを確定することができる。
【００７１】
本発明の実施例において、同期信号の所在する時間領域及び／又は周波数領域位置が予め設定されたものであってよい。異なるフォーミングビームの対応する同期信号の所在する時間領域及び／又は周波数領域位置は異なってもよい。異なるセルの同じビームＩＤを有するビームに対応する同期信号の所在する時間領域及び／又は周波数領域位置は異なっても良い。異なるセル及び／又は異なるビームの同期信号の所在する時間領域及び／又は周波数領域位置がともに１つの集合を構成し、この集合は予め設定されたものであり、例えば標準に予め設定される。
【００７２】
同様に、放送メッセージの所在する時間領域及び／又は周波数領域率位置は予め設定されたものであってもよい。異なるビームの対応する放送メッセージの所在する時間領域及び／又は周波数領域位置は異なっても良い。異なるセルの同じビームＩＤを有するビームに対応する放送メッセージの所在する時間領域及び／又は周波数領域位置は異なっても良い。異なるセル及び／又は異なるビームの放送メッセージの所在する時間及び／又は周波数位置がともに１つの集合を構成し、この集合は予め設定されたものであり、例えば標準に予め設定される。
【００７３】
注意すべきなのは、同一セルの同一のビーム内の同期信号と放送メッセージの使用する時間及び／又は周波数リソースは重なり合わない。且つ該同期信号と放送メッセージに用いられた時間領域リソース及び／又は周波数領域リソースとの間の関係、例えば時間領域及び／又は周波数領域位置のオフセット量は、予め設定されたものであってよい。同期信号と放送メッセージとの間のすべての可能な時間領域及び／又は周波数領域位置のオフセット量は１つのリソース関係集合を構成することができ、このリソース関係集合は予め設定されたものである。
【００７４】
以上、本発明の実施例の信号伝送方法を説明しており、以下、上記信号伝送方法の対応するネットワーク機器、端末装置及び通信システムを説明する。
【００７５】
図４は本発明の実施例のネットワーク機器の概略的な構造図である。理解すべきなのは、図４に示したネットワーク機器４００は単に例示であり、本発明の実施例のネットワーク機器は他のモジュール又はユニットを更に含んでよく、或いは図４における各モジュールの機能に類似したモジュールを含んでもよく、或いは図４におけるすべてのモジュールを含まなくても良い。
【００７６】
第１送信モジュール４１０は、第１ビームを使用して第１セルの第１同期信号を送信することに用いられ、前記第１同期信号に前記第１ビームの識別情報が載せられる。
【００７７】
第２送信モジュール４２０は、前記第１ビームを使用して前記第１ビームの識別情報でスクランブリングされた第１放送メッセージを送信することに用いられる。
【００７８】
本発明の実施例において、ネットワーク機器は同期信号によってセル内のビームの識別情報を送信し、且つ該ビームの識別情報を使用して該同期信号の対応する放送メッセージをスクランブリングすることができる。端末装置はネットワーク機器が送信した同期信号によってビームの識別情報を取得することができ及びビームの識別情報によって対応する放送メッセージを検出するので、該信号伝送方法によってセルにおいて複数のビーム伝送公共信号を通過することができ、これによりビームフォーミングゲインを取得し、最終に信号の伝送品質を向上させる。
【００７９】
選択可能に、一実施例として、前記第１放送メッセージに以下の少なくとも１種の情報が載せられる：前記第１同期信号の占用した第１無線リソースと前記第１放送メッセージの占用した第２無線リソースとの間の関係情報、前記第１セル内の少なくとも１つの第２ビームの識別情報、前記第１セル内で前記少なくとも１つの第２ビームを使用して伝送された第２同期信号の占用した第３無線リソースの情報、前記第１セル内のビーム数、又は前記第１セル内で前記少なくとも１つの第２ビームを使用して伝送された第２放送メッセージの占用した第４無線リソースの情報。
【００８０】
選択可能に、一実施例として、前記第１放送メッセージに前記第１セルの識別情報が載せられる。
【００８１】
理解すべきなのは、図４に示すように本発明の実施例のネットワーク機器における各ユニットの上記及び他の操作及び／又は機能はそれぞれ上記信号伝送方法においてネットワーク機器で実行された対応するプロセスを実現するためのものであり、簡単にさせるために、ここで繰り返して説明しない。
【００８２】
図５は本発明の実施例のネットワーク機器の概略的な構造図である。ネットワーク機器５００はメモリ５１０、プロセッサー５２０及びトランシーバ５３０を含む。
【００８３】
メモリ５１０は、プログラムを記憶することに用いられる。
【００８４】
プロセッサー５２０は、前記メモリ５１０に記憶されたプログラムを実行することに用いられる。
【００８５】
前記プロセッサー５２０は前記メモリ５１０に記憶されたプログラムを実行する時、具体的に第１ビームを使用して第１セルの第１同期信号を送信することに用いられ、前記第１同期信号に前記第１ビームの識別情報が載せられる。
【００８６】
前記プロセッサー５２０は更に前記第１ビームを使用して前記第１ビームの識別情報でスクランブリングされた第１放送メッセージを送信することに用いられる。
【００８７】
本発明の実施例において、ネットワーク機器は同期信号によってセル内のビームの識別情報を送信することができ、且つ該ビームの識別情報を使用して該同期信号の対応する放送メッセージをスクランブリングする。端末装置はネットワーク機器が送信した同期信号によってビームの識別情報を取得することができ及びビームの識別情報によって対応する放送メッセージを検出するので、該信号伝送方法によってセルにおいて複数のビーム伝送公共信号を通過することができ、これによりビームフォーミングゲインを取得し、最終に信号の伝送品質を向上させる。
【００８８】
選択可能に、一実施例として、前記第１放送メッセージに以下の少なくとも１種の情報が載せられる：前記第１同期信号の占用した第１無線リソースと前記第１放送メッセージの占用した第２無線リソースとの間の関係情報、前記第１セル内の少なくとも１つの第２ビームの識別情報、前記第１セル内で前記少なくとも１つの第２ビームを使用して伝送された第２同期信号の占用した第３無線リソースの情報、前記第１セル内のビーム数、又は前記第１セル内で前記少なくとも１つの第２ビームを使用して伝送された第２放送メッセージの占用した第４無線リソースの情報。
【００８９】
選択可能に、一実施例として、前記第１放送メッセージに前記第１セルの識別情報が載せられる。
【００９０】
理解すべきなのは、図５に示すように本発明の実施例のネットワーク機器が図４に示すようなネットワーク機器に対応することができ、且つ図５に示すように本発明の実施例のネットワーク機器における各ユニットの上記と他の操作及び／又は機能はそれぞれ上記信号伝送方法におけるネットワーク機器で実行された対応するプロセスを実現するためのものであり、簡単にさせるために、ここで繰り返して説明しない。
【００９１】
図６は本発明の実施例の端末装置の概略的な構造図である。理解すべきなのは、図６に示した端末装置６００は単に例示であり、本発明の実施例の端末装置は更に他のモジュール又はユニットを含んでよく、或いは図６における各モジュールの機能に類似したモジュールを含んでも良く、或いは図６における所有モジュールを含まなくても良い。
【００９２】
第１検出モジュール６１０は、第１セル内の第１同期信号を検出することに用いられ、前記第１同期信号に前記第１同期信号を伝送する第１ビームの識別情報が載せられる。
【００９３】
第２検出モジュール６２０は、前記第１ビームの識別情報によって、前記第１ビームで伝送された第１放送メッセージを検出することに用いられる。
【００９４】
本発明の実施例において、端末装置のネットワーク機器から受信された同期信号に、セル内のビームの識別情報が載せられる。このように、端末装置はネットワーク機器が送信した同期信号によってビームの識別情報を取得した後、ビームの識別情報によって対応する放送メッセージを検出することができ、このため、該信号伝送方法によってセルにおいて複数のビーム伝送公共信号を通過することができ、これによりビームフォーミングゲインを取得し、最終に信号の伝送品質を向上させる。
【００９５】
選択可能に、一実施例として、前記第１放送メッセージに以下の少なくとも１種の情報が載せられる：前記第１同期信号の占用した第１無線リソースと前記第１放送メッセージの占用した第２無線リソースとの間の第１関係情報、前記第１セル内の少なくとも１つの第２ビームの識別情報、前記第１セル内で前記少なくとも１つの第２ビームを使用して伝送された第２同期信号の占用した第３無線リソースの情報、前記第１セル内のビーム数、又は前記第１セル内で前記少なくとも１つの第２ビームを使用して伝送された第２放送メッセージの占用した第４無線リソースの情報。
【００９６】
選択可能に、一実施例として、前記端末装置は、前記少なくとも１種の情報によって前記少なくとも１つの第２ビームの識別情報を確定するための処理モジュールを更に含む。
【００９７】
選択可能に、一実施例として、前記第１放送メッセージに前記第１セルの識別情報が載せられる。
【００９８】
選択可能に、一実施例として、前記第２検出モジュールは具体的には、前記第１無線リソースと第１関係情報との集合によって、Ｍ個の第２無線リソースを確定することに用いられ、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の第２無線リソースにおける第ｉ個の第２無線リソースと前記第１無線リソースとの間の関係は前記第１関係情報集合における第ｉ個の関係情報で指示された関係であり、Ｍが正整数であり、ｉがＭ以下の正整数であり、前記Ｍ個のセルが前記第１セルを含む。
【００９９】
前記第１ビームの識別情報を使用して、前記Ｍ個の第２無線リソースでのＮ個の放送メッセージをデスクランブルし、ＮがＭ以下の正整数であり、前記デスクランブルが成功したＫ個の放送メッセージにおいて前記第１放送メッセージを検出し、ＫがＮ以下の正整数である。
【０１００】
選択可能に、一実施例として、Ｋ＝１とし、前記第２検出モジュールは具体的に前記デスクランブルが成功した放送メッセージが前記第１放送メッセージであることを確定することに用いられる。
【０１０１】
選択可能に、一実施例として、Ｋ＞１とし、前記Ｋ個の放送メッセージにおける第ｊ個の放送メッセージに前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、前記第２検出モジュールは具体的に、前記Ｋ個の放送メッセージにおける第３放送メッセージを前記第１放送メッセージと確定することに用いられ、前記第３放送メッセージの占用した無線リソースと前記第１無線リソースとの間の関係が前記第３放送メッセージに載せられた前記関係情報に等しい。
【０１０２】
選択可能に、一実施例として、前記第１関係情報集合は予め構成された関係情報集合である。
【０１０３】
理解すべきなのは、図６に示すように本発明の実施例の端末装置における各ユニットの上記と他の操作及び／又は機能はそれぞれ上記信号伝送方法において端末装置で実行された対応するプロセスを実現するためのものであり、簡単にさせるために、ここで繰り返して説明しない。
【０１０４】
図７は本発明の実施例の端末装置の概略的な構造図である。端末装置７００はメモリ７１０、プロセッサー７２０及びトランシーバ７３０を含む。
【０１０５】
メモリ７１０は、プログラムを記憶することに用いられる。
【０１０６】
プロセッサー７２０は、前記メモリ７１０に記憶されたプログラムを実行することに用いられる。
【０１０７】
前記プロセッサー７２０が前記メモリ７１０に記憶されたプログラムを実行する時、具体的には第１セル内の第１同期信号を検出することに用いられ、前記第１同期信号に前記第１同期信号を伝送する第１ビームの識別情報が載せられる。
【０１０８】
前記プロセッサー７２０は更に前記第１ビームの識別情報によって、前記第１ビームで伝送された第１放送メッセージを検出することに用いられる。
【０１０９】
本発明の実施例において、端末装置のネットワーク機器から受信された同期信号にセル内のビームの識別情報が載せられる。このように、端末装置はネットワーク機器が送信した同期信号によってビームの識別情報を取得した後、ビームの識別情報によって対応する放送メッセージを検出することができ、このため、該信号伝送方法によってセルにおいて複数のビーム伝送公共信号を通過することができ、これによりビームフォーミングゲインを取得し、最終に信号の伝送品質を向上させる。
【０１１０】
選択可能に、一実施例として、前記第１放送メッセージに以下の少なくとも１種の情報が載せられる：前記第１同期信号の占用した第１無線リソースと前記第１放送メッセージの占用した第２無線リソースとの間の第１関係情報、前記第１セル内の少なくとも１つの第２ビームの識別情報、前記第１セル内で前記少なくとも１つの第２ビームを使用して伝送された第２同期信号の占用した第３無線リソースの情報、前記第１セル内のビーム数、又は前記第１セル内で前記少なくとも１つの第２ビームを使用して伝送された第２放送メッセージの占用した第４無線リソースの情報。
【０１１１】
選択可能に、一実施例として、前記プロセッサー７２０は更に前記少なくとも１種の情報によって前記少なくとも１つの第２ビームの識別情報を確定することに用いられる。
【０１１２】
選択可能に、一実施例として、前記第１放送メッセージに前記第１セルの識別情報が載せられる。
【０１１３】
選択可能に、一実施例として、前記プロセッサー７２０は具体的に、前記第１無線リソースと第１関係情報との集合によって、Ｍ個の第２無線リソースを確定することに用いられ、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の第２無線リソースにおける第ｉ個の第２無線リソースと前記第１無線リソースとの間の関係は前記第１関係情報集合における第ｉ個の関係情報で指示された関係であり、Ｍが正整数であり、ｉがＭ以下の正整数であり、前記Ｍ個のセルが前記第１セルを含む。
【０１１４】
前記第１ビームの識別情報を使用して、前記Ｍ個の第２無線リソースでのＮ個の放送メッセージをデスクランブルし、ＮがＭ以下の正整数であり、前記デスクランブルが成功したＫ個の放送メッセージにおいて前記第１放送メッセージを検出し、ＫがＮ以下の正整数である。
【０１１５】
選択可能に、一実施例として、Ｋ＝１とし、前記プロセッサー７２０は具体的に前記デスクランブルが成功した放送メッセージが前記第１放送メッセージであることを確定することに用いられる。
【０１１６】
選択可能に、一実施例として、Ｋ＞１とし、前記Ｋ個の放送メッセージにおける第ｊ個の放送メッセージに前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、前記プロセッサー７２０は具体的に、前記Ｋ個の放送メッセージにおける第３放送メッセージを前記第１放送メッセージと確定することに用いられ、前記第３放送メッセージの占用した無線リソースと前記第１無線リソースとの間の関係が前記第３放送メッセージに載せられた前記関係情報に等しい。
【０１１７】
選択可能に、一実施例として、前記第１関係情報集合は予め構成された関係情報集合である。
【０１１８】
理解すべきなのは、図７に示すように本発明の実施例の端末装置は図６に示すような端末装置に対応することができ、且つ図７に示すように本発明の実施例の端末装置における各ユニットの上記と他の操作及び／又は機能はそれぞれ上記信号伝送方法における端末装置で実行された対応するプロセスを実現するためのものであり、簡単にさせるために、ここで繰り返して説明しない。
【０１１９】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１２０】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０１２１】
本発明によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１２２】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０１２３】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０１２４】
前記機能はソフトウェア機能ユニットの形式で実現するとともに独立した製品として販売又は使用される場合、1つのコンピュータ読み取り可能な記憶媒体に記憶することができる。このような理解に基づいて、本発明の実施例の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク設備等である）が本発明の各実施例に記載の方法の全部又は一部を実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、「ＲＯＭ」と略称）、ランダムアクセスメモリ（Ｒａｎｄｏｍ  Ａｃｃｅｓｓ  Ｍｅｍｏｒｙ、「ＲＡＭ」と略称）、ディスク或いはＣＤ等の様々なプログラムコードを記憶できる媒体である。
【０１２５】
以上のように、単に本発明の具体的な実施形態であるが、本発明の保護範囲はこれに限定されず、当業者は誰でも、本発明に開示された技術範囲において、変化又は置換を考えやすく、それらはすべて本発明の保護範囲に含まれる。このため、本発明の保護範囲は前記請求の範囲の保護範囲を基準とすべきである。
【図１】
2019533362.tif 000003
【図２】
2019533362.tif 000004
【図３】
2019533362.tif 000005
【図４】
2019533362.tif 000006
【図５】
2019533362.tif 000007
【図６】
2019533362.tif 000008
【図７】
2019533362.tif 000009
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
信号伝送方法であって、
ネットワーク機器が第１ビームを使用して第１セルの第１同期信号を送信することであって、前記第１同期信号に前記第１ビームの識別情報が載せられること、及び
前記ネットワーク機器が前記第１ビームを使用して、前記第１ビームの識別情報でスクランブリングされた第１放送メッセージを送信すること、を含むことを特徴とする
前記信号伝送方法。
【請求項２】
前記第１放送メッセージに以下の少なくとも１種の情報が載せられる：前記第１同期信号の占用した無線リソースと前記第１放送メッセージの占用した無線リソースとの間の関係情報、前記第１セル内の少なくとも１つの第２ビームの識別情報、前記第１セル内で前記少なくとも１つの第２ビームを使用して伝送された第２同期信号の占用した無線リソースの情報、又は前記第１セル内のビーム数ことを特徴とする
請求項１に記載の信号伝送方法。
【請求項３】
前記第１放送メッセージに前記第１セル内で前記少なくとも１つの第２ビームを使用して伝送された第２放送メッセージの占用した無線リソースの情報が載せられることを特徴とする
請求項１に記載の信号伝送方法。
【請求項４】
前記第１放送メッセージに前記第１セルの識別情報が載せられることを特徴とする
請求項１〜３のいずれかに記載の信号伝送方法。
【請求項５】
信号伝送方法であって、
端末装置は第１セル内の第１同期信号を検出することであって、前記第１同期信号に前記第１同期信号を伝送する第１ビームの識別情報が載せられること、及び
前記端末装置は前記第１ビームの識別情報によって、前記第１ビームで伝送された第１放送メッセージを検出すること、を含むことを特徴とする
前記信号伝送方法。
【請求項６】
前記第１放送メッセージに以下の少なくとも１種の情報が載せられる：前記第１同期信号の占用した無線リソースと前記第１放送メッセージの占用した無線リソースとの間の第１関係情報、前記第１セル内の少なくとも１つの第２ビームの識別情報、前記第１セル内で前記少なくとも１つの第２ビームを使用して伝送された第２同期信号の占用した無線リソースの情報、又は前記第１セル内のビーム数ことを特徴とする
請求項５に記載の信号伝送方法。
【請求項７】
前記第１放送メッセージに前記第１セル内で前記少なくとも１つの第２ビームを使用して伝送された第２放送メッセージの占用した無線リソースの情報が載せられることを特徴とする
請求項５に記載の信号伝送方法。
【請求項８】
前記信号伝送方法は更に、
前記端末装置が前記第１放送メッセージに載せられた前記情報によって前記少なくとも１つの第２ビームの識別情報を確定することを含むことを特徴とする
請求項６又は７に記載の信号伝送方法。
【請求項９】
前記第１放送メッセージに前記第１セルの識別情報が載せられることを特徴とする
請求項５〜８のいずれかに記載の信号伝送方法。
【請求項１０】
前記端末装置が前記第１ビームの識別情報によって、第１放送メッセージを検出することは、
前記端末装置が前記第１同期信号の占用した無線リソースと第１関係情報との集合によって、Ｍ個の検出対象である無線リソースを確定することであって、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の検出対象である無線リソースにおける第ｉ個の検出対象である無線リソースと前記第１同期信号の占用した無線リソースとの間の関係が前記第１関係情報集合における第ｉ個の関係情報で指示された関係であり、Ｍが正整数であり、ｉがＭ以下の正整数であり、前記Ｍ個のセルが前記第１セルを含むこと、
前記端末装置が前記第１ビームの識別情報を使用して、前記Ｍ個の検出対象である無線リソースでのＮ個の放送メッセージをデスクランブルすることであって、ＮがＭ以下の正整数であること、及び
前記端末装置は前記デスクランブルが成功したＫ個の放送メッセージにおいて前記第１放送メッセージを検出することであって、ＫがＮ以下の正整数であることを含むことを特徴とする
請求項５〜９のいずれかに記載の信号伝送方法。
【請求項１１】
Ｋ＝１とし、
前記端末装置が前記デスクランブルが成功したＫ個の放送メッセージにおいて前記第１放送メッセージを検出することは、
前記端末装置は前記デスクランブルが成功した放送メッセージが前記第１放送メッセージであることを確定することを含むことを特徴とする
請求項１０に記載の信号伝送方法。
【請求項１２】
Ｋ＞１とし、
前記Ｋ個の放送メッセージにおける第ｊ個の放送メッセージに、前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、
前記端末装置が前記デスクランブルが成功したＫ個の放送メッセージにおいて前記第１放送メッセージを検出することは、
前記端末装置が前記Ｋ個の放送メッセージにおける第３放送メッセージを前記第１放送メッセージと確定することであって、前記第３放送メッセージの占用した無線リソースと前記第１同期信号の占用した無線リソースとの間の関係が前記第３放送メッセージに載せられた前記関係情報に等しいことを含むことを特徴とする
請求項１０に記載の信号伝送方法。
【請求項１３】
前記第１セル内の第１ビームで伝送された第１同期信号により使用される時間領域リソースは、前記第１セル内の第１ビームで伝送された第１放送メッセージにより使用される時間領域リソースと重なり合わないこと、
前記第１セル内の第１ビームで伝送された第１同期信号により使用される周波数領域リソースは、前記第１セル内の第１ビームで伝送された第１放送メッセージにより使用される周波数領域リソースと重なり合わないこと、又は
前記第１セル内の第１ビームで伝送された第１同期信号により使用される時間領域リソースは、前記第１セル内の第１ビームで伝送された第１放送メッセージにより使用される時間領域リソースと重なり合わなく、前記第１セル内の第１ビームで伝送された第１同期信号により使用される周波数領域リソースは、前記第１セル内の第１ビームで伝送された第１放送メッセージにより使用される周波数領域リソースと重なり合わないことであることを特徴とする
請求項５〜１２のいずれかに記載の信号伝送方法。
【請求項１４】
前記第１同期信号により使用される時間領域リソースと前記第１放送メッセージにより使用される時間領域リソースとの間の関係情報が予め設定されること、
前記第１同期信号により使用される周波数領域リソースと前記第１放送メッセージにより使用される周波数領域リソースとの間の関係情報が予め設定されること、又は
前記第１同期信号により使用される時間領域リソースと前記第１放送メッセージにより使用される時間領域リソースとの間の関係情報が予め設定され、前記第１同期信号により使用される周波数領域リソースと前記第１放送メッセージにより使用される周波数領域リソースとの間の関係情報が予め設定されることであることを特徴とする
請求項１３に記載の信号伝送方法。
【請求項１５】
前記第１同期信号により使用される時間領域リソースと前記第１放送メッセージにより使用される時間領域リソースとの間の関係情報は、前記第１同期信号により使用される時間領域リソースの位置と前記第１放送メッセージにより使用される時間領域リソースの位置との間のオフセットを含み、
前記第１同期信号により使用される周波数領域リソースと前記第１放送メッセージにより使用される周波数領域リソースとの間の関係情報は、前記第１同期信号により使用される周波数領域リソースの位置と前記第１放送メッセージにより使用される周波数領域リソースの位置との間のオフセットを含み、又は
前記第１同期信号により使用される時間領域リソースと前記第１放送メッセージにより使用される時間領域リソースとの間の関係情報は、前記第１同期信号により使用される時間領域リソースの位置と前記第１放送メッセージにより使用される時間領域リソースの位置との間のオフセットを含み、前記第１同期信号により使用される周波数領域リソースと前記第１放送メッセージにより使用される周波数領域リソースとの間の関係情報は、前記第１同期信号により使用される周波数領域リソースの位置と前記第１放送メッセージにより使用される周波数領域リソースの位置との間のオフセットを含むことを特徴とする
請求項１４に記載の信号伝送方法。
【請求項１６】
ネットワーク機器であって、
第１ビームを使用して第１セルの第１同期信号を送信するための第１送信モジュールであって、前記第１同期信号に前記第１ビームの識別情報が載せられる、第１送信モジュールと、
前記第１ビームを使用して前記第１ビームの識別情報でスクランブリングされた第１放送メッセージを送信するための第２送信モジュールと、を含むことを特徴とする
前記ネットワーク機器。
【請求項１７】
前記第１放送メッセージに以下の少なくとも１種の情報が載せられる：前記第１同期信号の占用した第１無線リソースと前記第１放送メッセージの占用した第２無線リソースとの間の関係情報、前記第１セル内の少なくとも１つの第２ビームの識別情報、前記第１セル内で前記少なくとも１つの第２ビームを使用して伝送された第２同期信号の占用した第３無線リソースの情報、又は前記第１セル内のビーム数ことを特徴とする
請求項１６に記載のネットワーク機器。
【請求項１８】
前記第１放送メッセージに前記第１セル内で前記少なくとも１つの第２ビームを使用して伝送された第２放送メッセージの占用した無線リソースの情報が載せられることを特徴とする
請求項１６に記載のネットワーク機器。
【請求項１９】
前記第１放送メッセージに前記第１セルの識別情報が載せられることを特徴とする
請求項１６〜１８のいずれかに記載のネットワーク機器。
【請求項２０】
端末装置であって、
第１セル内の第１同期信号を検出するための第１検出モジュールであって、前記第１同期信号に前記第１同期信号を伝送する第１ビームの識別情報が載せられる、第１検出モジュールと、
前記第１ビームの識別情報によって、前記第１ビームで伝送された第１放送メッセージを検出するための第２検出モジュールと、を含むことを特徴とする
前記端末装置。
【請求項２１】
前記第１放送メッセージに以下の少なくとも１種の情報が載せられる：前記第１同期信号の占用した第１無線リソースと前記第１放送メッセージの占用した第２無線リソースとの間の第１関係情報、前記第１セル内の少なくとも１つの第２ビームの識別情報、前記第１セル内で前記少なくとも１つの第２ビームを使用して伝送された第２同期信号の占用した第３無線リソースの情報、又は前記第１セル内のビーム数ことを特徴とする請求項２０に記載の端末装置。
【請求項２２】
前記第１放送メッセージに前記第１セル内で前記少なくとも１つの第２ビームを使用して伝送された第２放送メッセージの占用した無線リソースの情報が載せられることを特徴とする
請求項２０に記載の端末装置。
【請求項２３】
前記端末装置は、前記第１放送メッセージに載せられた前記情報によって前記少なくとも１つの第２ビームの識別情報を確定するための処理モジュールを更に含むことを特徴とする
請求項２１又は２２に記載の端末装置。
【請求項２４】
前記第１放送メッセージに前記第１セルの識別情報が載せられることを特徴とする
請求項２０〜２３のいずれかに記載の端末装置。
【請求項２５】
前記第２検出モジュールは、具体的に、
前記第１無線リソースと第１関係情報との集合によって、Ｍ個の第２無線リソースを確定することに用いられ、前記第１関係情報集合がＭ個の関係情報を含み、前記第１関係情報集合における第ｉ個の関係情報はＭ個のセルにおける第ｉ個のセル内において前記第１ビームで伝送された同期信号と放送メッセージの占用した無線リソースとの間の関係を指示することに用いられ、前記Ｍ個の第２無線リソースにおける第ｉ個の第２無線リソースと前記第１無線リソースとの間の関係は前記第１関係情報集合における第ｉ個の関係情報で指示された関係であり、Ｍが正整数であり、ｉがＭ以下の正整数であり、前記Ｍ個のセルが前記第１セルを含み、
前記第１ビームの識別情報を使用して、前記Ｍ個の第２無線リソースでのＮ個の放送メッセージをデスクランブルし、ＮがＭ以下の正整数であり、
前記デスクランブルが成功したＫ個の放送メッセージにおいて前記第１放送メッセージを検出し、ＫがＮ以下の正整数であることを特徴とする
請求項２０〜２４のいずれかに記載の端末装置。
【請求項２６】
Ｋ＝１とし、
前記第２検出モジュールは具体的には前記デスクランブルが成功した放送メッセージが前記第１放送メッセージであることを確定することに用いられることを特徴とする
請求項２５に記載の端末装置。
【請求項２７】
Ｋ＞１とし、
前記Ｋ個の放送メッセージにおける第ｊ個の放送メッセージに前記第ｊ個の放送メッセージと前記第ｊ個の放送メッセージの所在するセルにおいて前記第１ビームで送信された同期信号の占用した無線リソースとの間の関係情報が載せられ、ｊがＫ以下の正整数であり、
前記第２検出モジュールは具体的に、前記Ｋ個の放送メッセージにおける第３放送メッセージを前記第１放送メッセージと確定することに用いられ、前記第３放送メッセージの占用した無線リソースと前記第１無線リソースとの間の関係が前記第３放送メッセージに載せられた前記関係情報に等しいことを特徴とする
請求項２５に記載の端末装置。
【請求項２８】
前記第１関係情報集合は予め構成された関係情報集合であることを特徴とする
請求項２５〜２７のいずれかに記載の端末装置。
【請求項２９】
前記第１セル内の第１ビームで伝送された第１同期信号により使用される時間領域リソースは、前記第１セル内の第１ビームで伝送された第１放送メッセージにより使用される時間領域リソースと重なり合わないこと、
前記第１セル内の第１ビームで伝送された第１同期信号により使用される周波数領域リソースは、前記第１セル内の第１ビームで伝送された第１放送メッセージにより使用される周波数領域リソースと重なり合わないこと、又は
前記第１セル内の第１ビームで伝送された第１同期信号により使用される時間領域リソースは、前記第１セル内の第１ビームで伝送された第１放送メッセージにより使用される時間領域リソースと重なり合わなく、前記第１セル内の第１ビームで伝送された第１同期信号により使用される周波数領域リソースは、前記第１セル内の第１ビームで伝送された第１放送メッセージにより使用される周波数領域リソースと重なり合わないことであることを特徴とする
請求項２０〜２８のいずれかに記載の端末装置。
【請求項３０】
前記第１同期信号により使用される時間領域リソースと前記第１放送メッセージにより使用される時間領域リソースとの間の関係情報が予め設定されること、
前記第１同期信号により使用される周波数領域リソースと前記第１放送メッセージにより使用される周波数領域リソースとの間の関係情報が予め設定されること、又は
前記第１同期信号により使用される時間領域リソースと前記第１放送メッセージにより使用される時間領域リソースとの間の関係情報が予め設定され、前記第１同期信号により使用される周波数領域リソースと前記第１放送メッセージにより使用される周波数領域リソースとの間の関係情報が予め設定されることであることを特徴とする
請求項２９に記載の端末装置。
【請求項３１】
前記第１同期信号により使用される時間領域リソースと前記第１放送メッセージにより使用される時間領域リソースとの間の関係情報は、前記第１同期信号により使用される時間領域リソースの位置と前記第１放送メッセージにより使用される時間領域リソースの位置との間のオフセットを含み、
前記第１同期信号により使用される周波数領域リソースと前記第１放送メッセージにより使用される周波数領域リソースとの間の関係情報は、前記第１同期信号により使用される周波数領域リソースの位置と前記第１放送メッセージにより使用される周波数領域リソースの位置との間のオフセットを含み、又は
前記第１同期信号により使用される時間領域リソースと前記第１放送メッセージにより使用される時間領域リソースとの間の関係情報は、前記第１同期信号により使用される時間領域リソースの位置と前記第１放送メッセージにより使用される時間領域リソースの位置との間のオフセットを含み、前記第１同期信号により使用される周波数領域リソースと前記第１放送メッセージにより使用される周波数領域リソースとの間の関係情報は、前記第１同期信号により使用される周波数領域リソースの位置と前記第１放送メッセージにより使用される周波数領域リソースの位置との間のオフセットを含むことを特徴とする
請求項３０に記載の端末装置。
【国際調査報告】
2019533362.tif 000010
2019533362.tif 000011
2019533362.tif 000012
2019533362.tif 000013